(57)【要約】【課題】  インターネット２のトラフィックを軽減して、携帯電話機１へのＷｅｂページの表示を高速化するコンテンツ配信システムを提供できるようにする。【解決手段】  Ｗｅｂサーバ３と、携帯電話機１と、受信したＷｅｂページ毎にＵＲＬと前回接続日時とＷｅｂページデータとを含む接続管理情報１１を登録する記憶部１０と、コンテンツの配信を要求する際に、ＵＲＬの入力を受け付けて、ＵＲＬが設定されている接続管理情報１１を記憶部１０より取得してＷｅｂサーバ３に送信する接続管理情報送信手段２１と、Ｗｅｂサーバ３から、Ｗｅｂページデータが前回接続日時以降に「更新されていない」の通知を受けたときは、記憶部１０から該当するＷｅｂページデータを、「更新された」の通知を受けたときは、更新状況情報の最新Ｗｅｂページデータを表示する表示制御手段２２とを備えている。【選択図】  図１
2005267526.tif 000002
【特許請求の範囲】
【請求項１】
ブラウザ機能を搭載したコンテンツ取得端末とＷｅｂ(World-Wide Web)サーバとをインターネットを介して接続することによって、前記コンテンツ取得端末にコンテンツを配信するコンテンツ配信システムであって、
前記コンテンツ取得端末は、接続した前記ＷｅｂサーバのＷｅｂページ毎に、該ＵＲＬ(Uniform Resource Locator)と該前回接続日時と前回受信したＷｅｂページデータとを含む接続管理情報を少なくとも登録するための記憶部と、
前記Ｗｅｂサーバに対してコンテンツの配信を要求する際に、コンテンツに該当するＵＲＬの入力を受け付けて、該ＵＲＬが設定されている前記接続管理情報を前記記憶部より取得して、該接続管理情報の前記ＵＲＬと前記前回接続日時とを前記Ｗｅｂサーバに送信するための接続管理情報送信手段とを備え、
前記Ｗｅｂサーバは、前記コンテンツ取得端末からの前記ＵＲＬと前記前回接続日時とを受信して、該ＵＲＬに属するＷｅｂページが前記前回接続日時以降に更新されているか否かを判別するための更新状況判別手段と、
該更新状況判別手段による判別の結果、前記ＵＲＬに属するＷｅｂページが前記前回接続日時以降に更新されているとの判別結果が得られたときは、「更新された」旨及び最新Ｗｅｂページデータを前記コンテンツ取得端末に送出する一方、前記ＵＲＬに属するＷｅｂページが前記前回接続日時以降に更新されていないとの判別結果が得られたときは、「更新されていない」旨を前記コンテンツ取得端末に送出するための更新状況通知手段とを備えてなることを特徴とするコンテンツ配信システム。
【請求項２】
前記コンテンツ取得端末には、前記Ｗｅｂサーバから、所定の前記Ｗｅｂページデータが前記前回接続日時以降に「更新されていない」旨の通知を受けたときは、自己の前記記憶部から該当する前記接続管理情報の前記Ｗｅｂページデータを読み出して表示手段に表示する一方、前記Ｗｅｂサーバから、所定の前記Ｗｅｂページデータが前記前回接続日時以降に「更新された」旨の通知を受けたときは、前記Ｗｅｂサーバから、同時に通知された前記更新状況情報の前記最新Ｗｅｂページデータを前記表示手段に表示するための表示制御手段が付加されていることを特徴とする請求項１記載のコンテンツ配信システム。
【請求項３】
前記コンテンツ取得端末には、前記Ｗｅｂサーバからの前記更新状況情報の通知を受け付けた際に、該更新状況情報のＵＲＬが設定されている前記接続管理情報を前記記憶部より取得して、該接続管理情報の前記前回接続日時と前記Ｗｅｂページデータとに、それぞれ、前記通知を受け付けた際の日時と前記更新状況情報の前記最新Ｗｅｂページデータとを設定して前記接続管理情報を更新するための接続管理情報更新手段が付加されていることを特徴とする請求項１又は２記載のコンテンツ配信システム。
【請求項４】
前記コンテンツ取得端末には、削除対象開始日時の入力を受け付けて、前記接続管理情報の前記前回接続日時に前記削除対象開始日時以前の日時が設定されている前記接続管理情報を前記記憶部より取得して前記表示手段に表示し、取得した前記接続管理情報を削除するためのＷｅｂページ削除手段が付加されていることを特徴とする請求項１、２又は３記載のコンテンツ配信システム。
【請求項５】
コンテンツの配信を行うＷｅｂサーバとインターネットを介して接続されるブラウザ機能を搭載したコンテンツ取得端末であって、
接続した前記ＷｅｂサーバのＷｅｂページ毎に、該ＵＲＬと前回接続日時と前回受信したＷｅｂページデータとを含む接続管理情報を少なくとも登録するための記憶部と、
前記Ｗｅｂサーバに対してコンテンツの配信を要求する際に、コンテンツに該当するＵＲＬの入力を受け付けて、該ＵＲＬが設定されている前記接続管理情報を前記記憶部より取得して、該接続管理情報の前記ＵＲＬと前記前回接続日時とを前記Ｗｅｂサーバに送信するための接続管理情報送信手段と、
前記Ｗｅｂサーバから、所定の前記Ｗｅｂページデータが前記前回接続日時以降に「更新されていない」旨の通知を受けたときは、自己の前記記憶部から該当する前記接続管理情報の前記Ｗｅｂページデータを読み出して表示手段に表示する一方、前記Ｗｅｂサーバから、所定の前記Ｗｅｂページデータが前記前回接続日時以降に「更新された」旨の通知を受けたときは、前記Ｗｅｂサーバから、同時に通知された前記更新状況情報の前記最新Ｗｅｂページデータを前記表示手段に表示するための表示制御手段とを備えてなることを特徴とするコンテンツ取得端末。
【請求項６】
前記Ｗｅｂサーバから、所定の前記Ｗｅｂページデータが前記前回接続日時以降に「更新されていない」旨の通知を受けたときは、自己の前記記憶部から該当する前記接続管理情報の前記Ｗｅｂページデータを読み出して表示手段に表示する一方、前記Ｗｅｂサーバから、所定の前記Ｗｅｂページデータが前記前回接続日時以降に「更新された」旨の通知を受けたときは、前記Ｗｅｂサーバから、同時に通知された前記更新状況情報の前記最新Ｗｅｂページデータを前記表示手段に表示するための表示制御手段が付加されていることを特徴とする請求項５記載のコンテンツ取得端末。
【請求項７】
前記Ｗｅｂサーバからの前記更新状況情報の通知を受け付けた際に、該更新状況情報のＵＲＬが設定されている前記接続管理情報を前記記憶部より取得して、該接続管理情報の前記前回接続日時と前記Ｗｅｂページデータとに、それぞれ、前記通知を受け付けた際の日時と前記更新状況情報の前記最新Ｗｅｂページデータとを設定して前記接続管理情報を更新するための接続管理情報更新手段が付加されていることを特徴とする請求項５又は６記載のコンテンツ取得端末。
【請求項８】
削除対象開始日時の入力を受け付けて、前記接続管理情報の前記前回接続日時に前記削除対象開始日時以前の日時が設定されている前記接続管理情報を前記記憶部より取得して前記表示手段に表示し、取得した前記接続管理情報を削除するためのＷｅｂページ削除手段が付加されていることを特徴とする請求項５、６又は７記載のコンテンツ取得端末。
【発明の詳細な説明】
【技術分野】
【０００１】
この発明は、コンテンツ配信システム及びコンテンツ取得端末に係り、詳しくは、Ｗｅｂ(World-Wide Web)サーバ側でＷｅｂページの更新日時を管理し、コンテンツ取得端末側で接続したＷｅｂページの前回接続日時と前回受信したＷｅｂページデータとを管理し、コンテンツ取得端末からＷｅｂサーバに対してコンテンツの配信を要求する際に、前回、接続した日時以降に更新されていないＷｅｂページは、Ｗｅｂサーバからの受信を行わないことを内容とするコンテンツ配信システム及びコンテンツ取得端末に関する。
【背景技術】
【０００２】
端末機から各種情報が登録されているＷｅｂサーバへ、インターネットを介してアクセスして、端末機からの様々な配信要求に基づいた情報を配信するシステムが提供されているが、情報配信を利用する利用者の増加に伴い、端末機からＷｅｂサーバへアクセスする際のトラフィックを軽減するためのシステムの提供が望まれている。
【０００３】
従来、この種のシステムとしては、特許文献１、特許文献２及び特許文献３等に記載のものが知られている。まず、特許文献１に記載の「クライアント・サーバ型データベース」は、各クライアントにサーバと同等のファイルを設けて、サーバに各クライアントのデータ更新履歴を設け、各クライアントがファイル更新した際に、サーバとネットワークに接続中の各クライアントのファイルにも同じ更新内容を反映させ、ネットワークに接続されていない各クライアントが再び接続した際に、最後にアクセスした日時以降のデータ更新履歴に基づいて、クライアントのファイルにも更新内容を反映させる。このことにより、各クライアントのファイル参照時には、ネットワークを一切使用しないため、トラフックを軽減することができる構成となっている。
【０００４】
次に、特許文献２に記載の「インターネットのホームページ管理システム」は、ブラウザがホームページにアクセスする際に、キャッシュされているホームページのリビジョンを取得してウェブサーバに通知し、ウェブサーバは、ブラウザからのリビジョンをキーとして取得した履歴ファイルと最新のリビジョンとをブラウザに送信し、ブラウザは、ウェブサーバから受信した履歴ファイルに従ってキャッシュファイルを更新し、そのキャッシュファイルを表示する。このことにより、ブラウザが過去に受信したホームページに変更があった部分のみをウェブサーバが送信しているため、トラフィックの増加による速度低下を未然に防ぐことができる構成となっている。
【０００５】
また、特許文献３に開示の「情報取得端末、情報キャッシュサーバ及び情報取得方法」は、情報提供サーバからデータを取得した後に、情報取得端末から所定の時間毎に情報提供サーバにデータ更新の有無の問い合わせを送信し、応答がデータ更新有りの場合は、データの送信を要求する。このことにより、取得したデータが情報提供サーバ側で更新されて後でも、その更新されたデータの要求を行うことができる構成となっている。
また、情報取得端末と情報提供サーバとの間に情報キャッシュサーバを接続し、情報提供サーバに対して所定の時刻にデータ更新の有無の問い合わせを送信し、応答がデータ更新有りの場合は、データの送信を要求してキャッシュディスクに登録し、情報取得端末からのデータ要求に対しては、キャッシュディスクに登録したデータを送信する。このことにより、トラフィックの少ない時間帯に情報提供サーバからのデータをキャッシュディスクに保存しているため、アクセスの集中する時間帯のトラフィックを軽減することができる構成となっている。
【０００６】
【特許文献１】特開平９−０５４７１９号公報（第１−８頁）
【特許文献２】特開平１０−２４０６０４号公報（第１−６頁）
【特許文献３】特開平１１−０１５７１４号公報（第１−１３頁）
【発明の開示】
【発明が解決しようとする課題】
【０００７】
ところで、特許文献１の構成にあっては、クライアントがネットワークに接続した際に、クライアントとサーバとのファイルの整合性をとるために、サーバの更新内容をクライアントに反映させる処理に負荷がかかり、閲覧ページを表示するまでの時間を短縮することができない、という欠点もある。
次に、特許文献２の構成にあっては、特許文献１と同様に、ブラウザがホームページにアクセスした際に、ウェブサーバのホームページと整合性をとるために、変更があった部分についてブラウザのキャッシュファイルを更新する処理に負荷がかかり、閲覧ページを表示するまでの時間を短縮することができない、という欠点もある。
また、特許文献３の構成にあっては、情報取得端末から所定の時間毎にデータ更新の有無を情報提供サーバに問い合わせて、変更があった場合は、自動的に情報提供サーバからのデータを情報取得端末に送信しているが、刻々と変化する情報を長時間に亘って連続して提供する必要性がある場合には適用できても、情報の要求を受け付けた時点での情報のみを提供する場合は、所定の時間毎にデータ更新の有無を問い合わせる必要性は乏しく不向きである、という欠点もある。
【０００８】
この発明は、上述の事情に鑑みてなされたもので、コンテンツ取得端末からインターネットを介して接続されるＷｅｂサーバに対してコンテンツの配信を要求する際に、インターネットのトラフィックを軽減して、コンテンツ取得端末へのＷｅｂページの表示を高速化するコンテンツ配信システム及びコンテンツ取得端末を提供することを目的としている。
【課題を解決するための手段】
【０００９】
上記課題を解決するために、請求項１記載の発明は、ブラウザ機能を搭載したコンテンツ取得端末とＷｅｂ(World-Wide Web)サーバとをインターネットを介して接続することによって、前記コンテンツ取得端末にコンテンツを配信するコンテンツ配信システムに係り、
前記コンテンツ取得端末は、接続した前記ＷｅｂサーバのＷｅｂページ毎に、該ＵＲＬ(Uniform Resource Locator)と該前回接続日時と前回受信したＷｅｂページデータとを含む接続管理情報を少なくとも登録するための記憶部と、前記Ｗｅｂサーバに対してコンテンツの配信を要求する際に、コンテンツに該当するＵＲＬの入力を受け付けて、該ＵＲＬが設定されている前記接続管理情報を前記記憶部より取得して、該接続管理情報の前記ＵＲＬと前記前回接続日時とを前記Ｗｅｂサーバに送信するための接続管理情報送信手段とを備え、前記Ｗｅｂサーバは、前記コンテンツ取得端末からの前記ＵＲＬと前記前回接続日時とを受信して、該ＵＲＬに属するＷｅｂページが前記前回接続日時以降に更新されているか否かを判別するための更新状況判別手段と、該更新状況判別手段による判別の結果、前記ＵＲＬに属するＷｅｂページが前記前回接続日時以降に更新されているとの判別結果が得られたときは、「更新された」旨及び最新Ｗｅｂページデータを前記コンテンツ取得端末に送出する一方、前記ＵＲＬに属するＷｅｂページが前記前回接続日時以降に更新されていないとの判別結果が得られたときは、「更新されていない」旨を前記コンテンツ取得端末に送出するための更新状況通知手段とを備えてなることを特徴としている。
【００１０】
また、請求項２記載の発明は、請求項１記載のコンテンツ配信システムに係り、前記コンテンツ取得端末には、前記Ｗｅｂサーバから、所定の前記Ｗｅｂページデータが前記前回接続日時以降に「更新されていない」旨の通知を受けたときは、自己の前記記憶部から該当する前記接続管理情報の前記Ｗｅｂページデータを読み出して表示手段に表示する一方、前記Ｗｅｂサーバから、所定の前記Ｗｅｂページデータが前記前回接続日時以降に「更新された」旨の通知を受けたときは、前記Ｗｅｂサーバから、同時に通知された前記更新状況情報の前記最新Ｗｅｂページデータを前記表示手段に表示するための表示制御手段が付加されていることを特徴としている。
【００１１】
また、請求項３記載の発明は、請求項１又は２記載のコンテンツ配信システムに係り、前記コンテンツ取得端末には、前記Ｗｅｂサーバからの前記更新状況情報の通知を受け付けた際に、該更新状況情報のＵＲＬが設定されている前記接続管理情報を前記記憶部より取得して、該接続管理情報の前記前回接続日時と前記Ｗｅｂページデータとに、それぞれ、前記通知を受け付けた際の日時と前記更新状況情報の前記最新Ｗｅｂページデータとを設定して前記接続管理情報を更新するための接続管理情報更新手段が付加されていることを特徴としている。
【００１２】
また、請求項４記載の発明は、請求項１、２又は３記載のコンテンツ配信システムに係り、前記コンテンツ取得端末には、削除対象開始日時の入力を受け付けて、前記接続管理情報の前記前回接続日時に前記削除対象開始日時以前の日時が設定されている前記接続管理情報を前記記憶部より取得して前記表示手段に表示し、取得した前記接続管理情報を削除するためのＷｅｂページ削除手段が付加されていることを特徴としている。
【００１３】
また、請求項５記載の発明は、コンテンツの配信を行うＷｅｂサーバとインターネットを介して接続されるブラウザ機能を搭載したコンテンツ取得端末に係り、接続した前記ＷｅｂサーバのＷｅｂページ毎に、該ＵＲＬと前回接続日時と前回受信したＷｅｂページデータとを含む接続管理情報を少なくとも登録するための記憶部と、前記Ｗｅｂサーバに対してコンテンツの配信を要求する際に、コンテンツに該当するＵＲＬの入力を受け付けて、該ＵＲＬが設定されている前記接続管理情報を前記記憶部より取得して、該接続管理情報の前記ＵＲＬと前記前回接続日時とを前記Ｗｅｂサーバに送信するための接続管理情報送信手段と、前記Ｗｅｂサーバから、所定の前記Ｗｅｂページデータが前記前回接続日時以降に「更新されていない」旨の通知を受けたときは、自己の前記記憶部から該当する前記接続管理情報の前記Ｗｅｂページデータを読み出して表示手段に表示する一方、前記Ｗｅｂサーバから、所定の前記Ｗｅｂページデータが前記前回接続日時以降に「更新された」旨の通知を受けたときは、前記Ｗｅｂサーバから、同時に通知された前記更新状況情報の前記最新Ｗｅｂページデータを前記表示手段に表示するための表示制御手段とを備えてなることを特徴としている。
【００１４】
また、請求項６記載の発明は、請求項５記載のコンテンツ取得端末に係り、前記Ｗｅｂサーバから、所定の前記Ｗｅｂページデータが前記前回接続日時以降に「更新されていない」旨の通知を受けたときは、自己の前記記憶部から該当する前記接続管理情報の前記Ｗｅｂページデータを読み出して表示手段に表示する一方、前記Ｗｅｂサーバから、所定の前記Ｗｅｂページデータが前記前回接続日時以降に「更新された」旨の通知を受けたときは、前記Ｗｅｂサーバから、同時に通知された前記更新状況情報の前記最新Ｗｅｂページデータを前記表示手段に表示するための表示制御手段が付加されていることを特徴としている。
【００１５】
また、請求項７記載の発明は、請求項５又は６記載のコンテンツ取得端末に係り、前記Ｗｅｂサーバからの前記更新状況情報の通知を受け付けた際に、該更新状況情報のＵＲＬが設定されている前記接続管理情報を前記記憶部より取得して、該接続管理情報の前記前回接続日時と前記Ｗｅｂページデータとに、それぞれ、前記通知を受け付けた際の日時と前記更新状況情報の前記最新Ｗｅｂページデータとを設定して前記接続管理情報を更新するための接続管理情報更新手段が付加されていることを特徴としている。
【００１６】
また、請求項８記載の発明は、請求項５、６又は７記載のコンテンツ取得端末に係り、削除対象開始日時の入力を受け付けて、前記接続管理情報の前記前回接続日時に前記削除対象開始日時以前の日時が設定されている前記接続管理情報を前記記憶部より取得して前記表示手段に表示し、取得した前記接続管理情報を削除するためのＷｅｂページ削除手段が付加されていることを特徴としている。
【発明の効果】
【００１７】
この発明の構成によれば、コンテンツ取得端末が、接続したＷｅｂサーバのＷｅｂページ毎に、ＵＲＬと前回接続日時と前回受信したＷｅｂページデータとを管理する接続管理情報と、Ｗｅｂサーバに対してコンテンツの配信を要求する際に、コンテンツに該当する接続管理情報のＵＲＬと前回接続日時とをＷｅｂサーバに送信するための接続管理情報送信手段と、Ｗｅｂサーバから、所定のＷｅｂページデータが前回接続日時以降に「更新されていない」旨の通知を受けたときは、自己の記憶部から該当する接続管理情報のＷｅｂページデータを読み出して表示手段に表示する一方、所定のＷｅｂページデータが前回接続日時以降に「更新された」旨の通知を受けたときは、同時に通知された更新状況情報の最新Ｗｅｂページデータを表示手段に表示するための表示制御手段とを備えている構成としているので、インターネットのトラフィックを軽減して、コンテンツ取得端末へのＷｅｂページの表示を高速化するコンテンツ配信システム及びコンテンツ取得端末を提供することができる。
【００１８】
また、この発明の別の構成によれば、コンテンツ取得端末に登録されている接続管理情報の中で、長期間に亘って利用されていない接続管理情報を削除する構成としているので、コンテンツ取得端末の記憶部を有効利用するコンテンツ配信システム及びコンテンツ取得端末を提供することができる。
【発明を実施するための最良の形態】
【００１９】
コンテンツ取得端末からＷｅｂサーバに対してコンテンツの配信を要求する際に、インターネットのトラフィックを軽減して、コンテンツ取得端末へのＷｅｂページの表示を高速化する目的を、コンテンツ取得端末が、接続したＷｅｂサーバのＷｅｂページ毎に、ＵＲＬと前回接続日時と前回受信したＷｅｂページデータとを管理する接続管理情報と、Ｗｅｂサーバに対してコンテンツの配信を要求する際に、コンテンツに該当する接続管理情報のＵＲＬと前回接続日時とをＷｅｂサーバに送信するための接続管理情報送信手段と、Ｗｅｂサーバから、所定のＷｅｂページデータが前回接続日時以降に「更新されていない」旨の通知を受けたときは、自己の記憶部から該当する接続管理情報のＷｅｂページデータを読み出して表示手段に表示する一方、所定のＷｅｂページデータが前回接続日時以降に「更新された」旨の通知を受けたときは、同時に通知された更新状況情報の最新Ｗｅｂページデータを表示手段に表示するための表示制御手段とを備えることによって実現した。
【実施例１】
【００２０】
まず、この発明の実施例について説明する。
図１は、この発明の実施例であるコンテンツ配信システムの構成を示すブロック図である。まず、システムの全体構成から説明する。
この例のコンテンツ配信システムは、同図に示すように、ブラウザ機能を搭載した携帯電話機（コンテンツ取得端末）１と、この携帯電話機１とインターネット２を介して接続され、携帯電話機１にコンテンツを配信するＷｅｂサーバ３とから構成されている。
【００２１】
次に、システムの各部について説明する。
上記携帯電話機１は、Ｗｅｂ(World-Wide Web)ページに関する情報を一時記憶するためのＲＡＭ(Random Access Memory)やその他の記憶媒体からなる情報記憶部（記憶部）１０と、Ｗｅｂサーバと情報の送受信を行う際に必要な各種手段（プログラム）が記憶される、ＲＯＭ(Read Only Memory) やその他の記憶媒体からなる手段記憶部２０と、装置各部を制御するＣＰＵ（中央処理装置）からなる制御部（図示せぬ）とから構成されている。上記情報記憶部１０には、接続管理情報（プログラム）１１が格納され、また、手段記憶部２０には、接続管理情報送信手段２１と表示制御手段２２と接続管理情報更新手段２３とＷｅｂページ削除手段２４等の各種プログラムが格納されている。上記各種プログラムは、必要に応じて制御部に読み込まれ、制御部の動作を制御する。制御部は、各種プログラムの制御により後述の処理を実行する。
【００２２】
まず、情報記憶部１０に登録されている接続管理情報１１には、接続したＷｅｂサーバ３のＷｅｂページに関する管理情報が格納されるようになっており、Ｗｅｂページ毎に、ＵＲＬ(Uniform Resource Locator)、前回接続日時、Ｗｅｂサーバ３から前回受信したＷｅｂページデータ等の情報から構成されており、ＵＲＬはユニークである（同一ＵＲＬは複数件、格納できないファイル構造である）。
【００２３】
次に、手段記憶部２０に登録されている接続管理情報送信手段２１は、Ｗｅｂサーバ３に対してコンテンツの配信を要求する際に、コンテンツに該当するＵＲＬの入力を受け付けて、入力を受け付けたＵＲＬが設定されている接続管理情報１１を情報記憶部１０より取得して、取得した接続管理情報のＵＲＬと前回接続日時とをＷｅｂサーバ３に送信する。
【００２４】
次に、表示制御手段２２は、Ｗｅｂサーバ３から、所定のＷｅｂページデータが前回接続日時以降に「更新されていない」旨の通知を受けたときは、情報記憶部１０から該当する接続管理情報１１のＷｅｂページデータを読み出して表示部（表示手段）に表示する一方、Ｗｅｂサーバ３から、所定のＷｅｂページデータが前回接続日時以降に「更新された」旨の通知を受けたときは、Ｗｅｂサーバ３から、同時に通知された更新状況情報の最新Ｗｅｂページデータを表示部に表示する。
【００２５】
次に、接続管理情報更新手段２３は、Ｗｅｂサーバ３からの更新状況情報の通知を受け付けた際に、更新状況情報のＵＲＬが設定されている接続管理情報１１を情報記憶部１０より取得して、接続管理情報１１の前回接続日時とＷｅｂページデータとに、それぞれ、更新状況情報の通知を受け付けた際の日時と更新状況情報の最新Ｗｅｂページデータとを設定して接続管理情報１１を更新する。
【００２６】
次に、Ｗｅｂページ削除手段２４は、削除対象開始日時の入力を受け付けて、接続管理情報１１の前回接続日時に削除対象開始日時以前の日時が設定されている接続管理情報１１を情報記憶部１０より取得して携帯端末機１の表示部に表示し、取得した接続管理情報１１を情報記憶部１０より削除する。
【００２７】
Ｗｅｂサーバ３は、Ｗｅｂページに関する情報を登録するための情報ファイル３０と、携帯電話機１との情報の送受信を行う各手段を登録するためのライブラリ４０と、装置各部を制御するＣＰＵからなる図示せぬデータ処理装置とから構成され、情報ファイル３０には、更新管理情報３１と配信Ｗｅｂページ情報３２とが登録され、ライブラリ４０には、更新状況判別手段（プログラム）４１と更新状況情報通知手段（プログラム）４２とが格納されている。上記各種プログラムは、必要に応じて制御部に読み込まれ、データ処理装置の動作を制御する。制御部は、各種プログラムの制御により後述の処理を実行する。
【００２８】
まず、情報ファイル３０に登録されている更新管理情報３１には、更新したＷｅｂページに関する管理情報が格納されるようになっており、Ｗｅｂページ毎に、ＵＲＬ、更新日時等の情報から構成されている。
【００２９】
次に、配信Ｗｅｂページ情報３２には、更新管理情報３１とＵＲＬによって関連付けられ、携帯電話機１に配信する最新のＷｅｂページデータが格納されるようになっており、Ｗｅｂページ毎に、ＵＲＬ、最新Ｗｅｂページデータ等の情報から構成されている。
【００３０】
次に、ライブラリ４０に登録されている更新状況判別手段４１は、携帯電話機１からのＵＲＬと前回接続日時とを受信して、この接続管理情報１１のＵＲＬに属するＷｅｂページが前回接続日時以降に更新されているか否かを判別する。
【００３１】
次に、更新状況情報通知手段４２は、更新状況判別手段４１による判別の結果、ＵＲＬに属するＷｅｂページが前回接続日時以降に更新されているとの判別結果が得られたときが、「更新された」旨及び最新Ｗｅｂページデータを携帯電話機１に送出する一方、ＵＲＬに属するＷｅｂページが前回接続日時以降に更新されていないとの判別結果が得られたときが、「更新されていない」旨を携帯電話機１に送出する。
【００３２】
次に、携帯電話機１とＷｅｂサーバ３との間で情報の送受信が行われる処理手順について説明する。図２は、この発明の実施例である携帯電話機１とＷｅｂサーバ３とにおける各手段の処理の流れを示す流れ図である。
【００３３】
この例の各手段は、図２に示すように、携帯電話機１に設けられた接続管理情報送信手段２１と表示制御手段２２と接続管理情報更新手段２３とＷｅｂページ削除手段２４と、Ｗｅｂサーバ３に設けられた更新状況判別手段４１と更新状況情報通知手段４２とからなっている。
また、処理の順番としては、接続管理情報送信手段２１、更新状況判別手段４１、更新状況情報通知手段４２、表示制御手段２２、接続管理情報更新手段２３、Ｗｅｂページ削除手段２４の順番に処理が実行される。
【００３４】
まず、図３を参照して、携帯電話機１側（接続管理情報送信手段２１）の処理手順（ステップＰ１〜ステップＰ２）について説明する。
接続管理情報送信手段２１は、Ｗｅｂサーバ３に対してコンテンツの配信を要求する際に、携帯電話機１からの接続管理情報送信要求信号に応答して、コンテンツに該当するＵＲＬの入力を受け付けて、入力を受け付けたＵＲＬが設定されている接続管理情報１１を情報記憶部１０より取得する（ステップＰ１）。
これより、接続管理情報送信手段２１は、ステップＰ２へ進み、取得した接続管理情報１１のＵＲＬと前回接続日時とをＷｅｂサーバ３に送信する。この後、処理を終了する。
【００３５】
次に、図４を参照して、Ｗｅｂサーバ３側（更新状況判別手段４１）の処理手順（ステップＰ１１〜ステップＰ１６）について説明する。
更新状況判別手段４１は、携帯電話機１からの接続管理情報１１のＵＲＬと前回接続日時とを受信するまで、ウエイトする（ステップＰ１１）。
携帯電話機１からの接続管理情報１１のＵＲＬと前回接続日時とを受信すると、これより、更新状況判別手段４１は、ステップＰ１２へ進み、受信した接続管理情報１１のＵＲＬに属するＷｅｂページが前回接続日時以降に更新されているか否かを判別するために、情報ファイル３０に登録されている更新管理情報３１の中で、受信した接続管理情報１１のＵＲＬが設定されている更新管理情報３１を取得する。
次に、ステップＰ１３へ進み、取得した更新管理情報の更新日時と受信した接続管理情報の前回接続日時とを比較し、更新日時が前回接続日時より大きいの場合は、ステップＰ１４へ進み、更新日時が前回接続日時より大きくない場合は、ステップＰ１５へ進む。
受信した接続管理情報１１のＵＲＬと、「Ｗｅｂページ更新済み」を設定した判別結果と、情報ファイル３０に登録されている配信Ｗｅｂページ情報３２の中で、受信した接続管理情報１１のＵＲＬが設定されている配信Ｗｅｂページ情報３２を取得し、取得した配信Ｗｅｂページ情報３２の最新Ｗｅｂページデータとを設定した更新状況情報を生成する（ステップＰ１４）。次に、ステップＰ１６へ進む。
受信した接続管理情報１１のＵＲＬと、「Ｗｅｂページ未更新」を設定した判別結果とを設定した更新状況情報を生成する（ステップＰ１５）。次に、ステップＰ１６へ進む。
生成した更新状況情報を更新状況情報通知手段４２へ送信する（ステップＰ１６）。この後、ステップＰ１１に戻り、次の受信を待ち受ける。
【００３６】
次に、図５を参照して、Ｗｅｂサーバ３側（更新状況情報通知手段４２）の処理手順（ステップＰ２１〜ステップＰ２２）について説明する。
更新状況情報通知手段４２は、更新状況判別手段４１からの更新状況情報を受信するまで、ウエイトする（ステップＰ２１）。
更新状況判別手段４１からの更新状況情報を受信すると、これより、更新状況情報通知手段４２は、ステップＰ２２へ進み、受信した更新状況情報を携帯電話機１に送信する。この後、ステップＰ２１に戻り、次の受信を待ち受ける。
【００３７】
次に、図６を参照して、携帯電話機１側（表示制御手段２２）の処理手順（ステップＰ３１〜ステップＰ３６）を説明する。
表示制御手段２２は、Ｗｅｂサーバ３からの更新状況情報の受信をするまでウエイトする（ステップＰ３１）。
次に、ステップＰ３２へ進み、Ｗｅｂサーバ３からの更新状況情報を受信すると、これより、表示制御手段２２は、更新状況情報のＵＲＬが設定されている接続管理情報１１を情報記憶部１０より取得する。
次に、ステップＰ３３へ進み、更新状況情報の判別結果が「Ｗｅｂページ更新済み」の場合は、ステップＰ３４へ進み、更新状況情報の判別結果が「Ｗｅｂページ未更新」の場合は、ステップＰ３５へ進む。
取得した接続管理情報１１のＷｅｂページデータを携帯端末機１の表示部に表示する（ステップＰ３４）。次に、ステップ３６へ進む。
受信した更新状況情報に設定されている最新Ｗｅｂページデータを携帯端末機１の表示部に表示する（ステップＰ３５）。次に、ステップ３６へ進む。
受信した更新状況情報を接続管理情報更新手段２３へ送信する（ステップＰ３６）。この後、ステップＰ３１に戻り、次の受信を待ち受ける。
【００３８】
次に、図７を参照して、携帯電話機１側（接続管理情報更新手段２３）の処理手順（ステップＰ４１〜ステップＰ４５）について説明する。
接続管理情報更新手段２３は、表示制御手段２２からの更新状況情報の受信をするまでウエイトする（ステップＰ４１）。
次に、ステップＰ４２へ進み、接続管理情報更新手段２３からの更新状況情報を受信すると、これより、接続管理情報更新手段２３は、更新状況情報のＵＲＬが設定されている接続管理情報１１を情報記憶部１０より取得する。
次に、ステップＰ４３へ進み、更新状況情報の判別結果が「Ｗｅｂページ更新済み」の場合は、ステップＰ４４へ進み、更新状況情報の判別結果が「Ｗｅｂページ未更新」の場合は、ステップＰ４５へ進む。
取得した接続管理情報１１のＷｅｂページデータに更新状況情報に設定されている最新Ｗｅｂページデータを設定する（ステップＰ４４）。次に、ステップ４５へ進む。
取得した接続管理情報１１の前回接続日時に更新状況情報を受信した際の日時を設定して接続管理情報１１を更新する（ステップ４５）。この後、ステップＰ４１に戻り、次の受信を待ち受ける。
【００３９】
次に、図８を参照して、携帯電話機１側（Ｗｅｂページ削除手段２４）の処理手順（ステップＰ５１〜ステップＰ５４）について説明する。
Ｗｅｂページ削除手段２４は、携帯電話機１からのＷｅｂページ削除要求信号に応答して、削除対象開始日時の入力を受け付ける（ステップＰ５１）。
次に、ステップＰ５２に進み、接続管理情報１１の前回接続日時に入力を受け付けた削除対象開始日時以前の日時が設定されている接続管理情報１１を情報記憶部１０より取得する。
次に、ステップＰ５３に進み、取得した接続管理情報１１を携帯端末機１の表示部に表示する。
次に、ステップＰ５４に進み、取得した接続管理情報１１を情報記憶部１０より削除して、処理を終了する。
【００４０】
このように、この実施例の構成によれば、携帯電話機１からＷｅｂサーバ３に対してコンテンツの配信を要求する際に、インターネット２のトラフィックを軽減して、携帯電話機１へのＷｅｂページの表示を高速化する目的を、携帯電話機１が、接続したＷｅｂサーバ３のＷｅｂページ毎に、ＵＲＬと前回接続日時と前回受信したＷｅｂページデータとを管理する接続管理情報１１と、Ｗｅｂサーバ３に対してコンテンツの配信を要求する際に、コンテンツに該当する接続管理情報１１のＵＲＬと前回接続日時とをＷｅｂサーバに送信するための接続管理情報送信手段２１と、Ｗｅｂサーバ３から、所定のＷｅｂページデータが前回接続日時以降に「更新されていない」旨の通知を受けたときは、情報記憶部１０から該当する接続管理情報１１のＷｅｂページデータを読み出して表示部に表示する一方、所定のＷｅｂページデータが前回接続日時以降に「更新された」旨の通知を受けたときは、同時に通知された更新状況情報の最新Ｗｅｂページデータを表示部に表示するための表示制御手段２２とを備えている構成としているので、インターネット２のトラフィックを軽減して、携帯電話機１へのＷｅｂページの表示を高速化するコンテンツ配信システムを提供することができる。
【００４１】
また、携帯電話機１に登録されている接続管理情報１１の中で、長期間に亘って利用されていない接続管理情報１１を削除する構成としているので、携帯電話機１の記憶部を有効利用するコンテンツ配信システムを提供することができる。
【００４２】
以上、この発明の実施例を、図面を参照して詳述してきたが、具体的な構成はこの実施例に限られるものではなく、この発明の要旨を逸脱しない範囲の設計変更等があってもこの発明に含まれる。
例えば、上述の実施例では、Ｗｅｂページ削除手段２４は、携帯電話機１からの任意の時点に、指定した前回接続日時以前の接続管理情報１１を全て削除しているが、携帯電話機１から削除対象の接続管理情報１１を個別に選択して削除する方法でもよく、また、所定の時期毎に所定の前回接続日時以前の接続管理情報１１を自動的に削除するようにしてもよい。また、接続管理情報１１に最終接続日時に加えて、最終接続日時までの受信累計回数を付加して、接続管理情報１１を削除のする際の情報として提供するようにしてもよい。
【産業上の利用可能性】
【００４３】
コンテンツ取得端末として、携帯電話機に限定することなく、インターネットを介して接続されるパソコン等にも適用できる。
【図面の簡単な説明】
【００４４】
【図１】この発明の実施例であるＷｅｂページの更新管理に基づいたコンテンツ配信システムの構成を示すブロック図である。
【図２】同コンテンツ配信システムを構成する携帯電話機１とＷｅｂサーバ３とにおける各手段の処理の流れを示す流れ図である。
【図３】同コンテンツ配信システムの携帯電話機１側の動作処理手順を示すフローチャートである。
【図４】同コンテンツ配信システムのＷｅｂサーバ３側の動作処理手順を示すフローチャートである。
【図５】同コンテンツ配信システムのＷｅｂサーバ３側の動作処理手順を示すフローチャートである。
【図６】同コンテンツ配信システムの携帯電話機１側の動作処理手順を示すフローチャートである。
【図７】同コンテンツ配信システムの携帯電話機１側の動作処理手順を示すフローチャートである。
【図８】同コンテンツ配信システムの携帯電話機１側の動作処理手順を示すフローチャートである。
【符号の説明】
【００４５】
１  携帯電話機（コンテンツ取得端末）
２  インターネット
３  Ｗｅｂサーバ
１０  情報記憶部（記憶部）
１１  接続管理情報
２０  手段記憶部
２１  接続管理情報送信手段
２２  表示制御手段
２３  接続管理情報更新手段
２４  Ｗｅｂページ削除手段
３０  情報ファイル
３１  更新管理情報
３２  配信Ｗｅｂページ情報
４０  ライブラリ
４１  更新状況判別手段
４２  更新状況情報通知手段
【図１】
2005267526.tif 000003
【図２】
2005267526.tif 000004
【図３】
2005267526.tif 000005
【図４】
2005267526.tif 000006
【図５】
2005267526.tif 000007
【図６】
2005267526.tif 000008
【図７】
2005267526.tif 000009
【図８】
2005267526.tif 000010